(57)【要約】      （修正有）【課題】局部洗浄ノズルの２つの洗浄水供給路に供給される洗浄水の混合率の安定化を図り得る局部洗浄装置及びこれを備えた便器装置を提供する。【解決手段】局部洗浄装置は、第１洗浄水供給路及び第２洗浄水供給路が設けられた局部洗浄ノズルと、回転部材３０が軸回りに回転されて流路を切り替える構成とされた流路切替機構２０と、を備えており、第１洗浄水供給路及び第２洗浄水供給路のそれぞれに連通される第１給水孔３４及び第２給水孔３６が互いに周方向に間隔を空けて設けられ、周方向に延びる第１給水溝３５及び第２給水溝３７が一方の部材側に向けて開口するように設けられており、第１給水溝３５及び第２給水溝３７は、流路断面積が周方向に均一状とされた均一状断面積領域の周方向に沿う寸法が、給水元側孔の各給水溝に対応する領域３１ａ，３１ｂの周方向に沿う寸法よりも大となるように設けられている。【選択図】図６
2017197923.tif 000002
【特許請求の範囲】
【請求項１】
第１洗浄水供給路及び第２洗浄水供給路が設けられた局部洗浄ノズルと、固定部材に重ね合わせるように配された回転部材が軸回りに回転されて流路を切り替える構成とされた流路切替機構と、を備えており、
前記固定部材及び前記回転部材のうちの一方の部材には、給水元に連通される給水元側孔が前記軸方向に貫通するように設けられ、前記固定部材及び前記回転部材のうちの他方の部材には、前記軸方向に貫通するように、前記第１洗浄水供給路及び前記第２洗浄水供給路のそれぞれに連通される第１給水孔及び第２給水孔が互いに周方向に間隔を空けて設けられ、かつこれら第１給水孔及び第２給水孔のそれぞれの孔縁から径方向に並列状となるように周方向に延びる第１給水溝及び第２給水溝が前記一方の部材側に向けて開口するように設けられており、
前記第１給水溝及び前記第２給水溝は、流路断面積が周方向に均一状とされた均一状断面積領域の周方向に沿う寸法が、前記給水元側孔の各給水溝に対応する領域の周方向に沿う寸法よりも大となるように設けられていることを特徴とする局部洗浄装置。
【請求項２】
請求項１において、
前記給水元側孔は、前記軸方向に見て、周方向両側縁のそれぞれが前記軸の軸心を通る直線に平行状に形成された扇孔状とされ、
前記軸方向に見た状態における前記第１給水溝の前記均一状断面積領域の反第１給水孔側端縁と前記軸心とを結ぶ仮想線と、前記第２給水溝の前記均一状断面積領域の反第２給水孔側端縁と前記軸心とを結ぶ仮想線と、のなす開き角が、前記給水元側孔の周方向両側縁のなす開き角よりも大とされていることを特徴とする局部洗浄装置。
【請求項３】
請求項１または２において、
前記第１給水溝及び前記第２給水溝の前記均一状断面積領域の流路断面積は、前記給水元側孔の各給水溝に対応する領域の前記軸方向に見た面積以下とされていることを特徴とする局部洗浄装置。
【請求項４】
請求項３において、
前記第１給水溝及び前記第２給水溝には、前記軸方向に沿う溝深さ寸法及び径方向に沿う溝幅寸法のうちの両方または一方が前記第１給水孔及び前記第２給水孔のそれぞれから離れるに従い段階的に小とされた複数段の前記均一状断面積領域が設けられていることを特徴とする局部洗浄装置。
【請求項５】
請求項１乃至４のいずれか１項に記載の局部洗浄装置を備えていることを特徴とする便器装置。
【発明の詳細な説明】
【技術分野】
【０００１】
本発明は、局部洗浄装置及びこれを備えた便器装置に関する。
【背景技術】
【０００２】
従来より、使用者の局部に向けて洗浄水を供給するノズルを設けた局部洗浄装置が知られている。このような局部洗浄装置においては、異なる洗浄感（接触感）が得られるように、ノズル先端部から吐出される洗浄水の吐出パターンの変更が可能とされたものがある。
例えば、下記特許文献１には、固定ディスクに重ね合わせられた可動ディスクを回転させることで、洗浄ノズルに設けられた２つの流路の両方または一方に洗浄水を給水する構成とされた衛生洗浄装置が開示されている。この衛生洗浄装置は、固定ディスクに、各流路に連通される穴部のそれぞれに連通するように各穴部から離れるに従い底浅とされた円弧状の凹部を設け、可動ディスクに、固定ディスクの各穴部及び凹部に連通される２つの穴部を設けた構成とされている。また、可動ディスクの各穴部を、各流路に連通される穴部または凹部に連通させることで、両流路に洗浄水の給水が可能な構成とされている。
【先行技術文献】
【特許文献】
【０００３】
【特許文献１】特開２００６−１０４６７１号公報
【発明の概要】
【発明が解決しようとする課題】
【０００４】
しかしながら、上記特許文献１に記載された衛生洗浄装置では、各流路に連通される周方向に離間して形成された各穴部及びそれぞれに連通する凹部に対して、可動ディスクの穴部の位置が周方向にずれれば、各流路の流量に変動が生じ易くなることが考えられる。
【０００５】
本発明は、上記実情に鑑みてなされたものであり、局部洗浄ノズルの２つの洗浄水供給路に供給される洗浄水の混合率の安定化を図り得る局部洗浄装置及びこれを備えた便器装置を提供することを目的としている。
【課題を解決するための手段】
【０００６】
前記目的を達成するために、本発明に係る局部洗浄装置は、第１洗浄水供給路及び第２洗浄水供給路が設けられた局部洗浄ノズルと、固定部材に重ね合わせるように配された回転部材が軸回りに回転されて流路を切り替える構成とされた流路切替機構と、を備えており、前記固定部材及び前記回転部材のうちの一方の部材には、給水元に連通される給水元側孔が前記軸方向に貫通するように設けられ、前記固定部材及び前記回転部材のうちの他方の部材には、前記軸方向に貫通するように、前記第１洗浄水供給路及び前記第２洗浄水供給路のそれぞれに連通される第１給水孔及び第２給水孔が互いに周方向に間隔を空けて設けられ、かつこれら第１給水孔及び第２給水孔のそれぞれの孔縁から径方向に並列状となるように周方向に延びる第１給水溝及び第２給水溝が前記一方の部材側に向けて開口するように設けられており、前記第１給水溝及び前記第２給水溝は、流路断面積が周方向に均一状とされた均一状断面積領域の周方向に沿う寸法が、前記給水元側孔の各給水溝に対応する領域の周方向に沿う寸法よりも大となるように設けられていることを特徴とする。
【０００７】
また、前記目的を達成するために、本発明に係る便器装置は、本発明に係る局部洗浄装置を備えていることを特徴とする。
【発明の効果】
【０００８】
本発明に係る局部洗浄装置及びこれを備えた便器装置は、上述のような構成としたことで、局部洗浄ノズルの２つの洗浄水供給路に供給される洗浄水の混合率の安定化を図ることができる。
【図面の簡単な説明】
【０００９】
【図１】（ａ）は、本発明の一実施形態に係る局部洗浄装置の一例及びこれを備えた便器装置の一例を模式的に示す概略斜視図、（ｂ）は、同局部洗浄装置の一例を模式的に示す一部を省略した概略斜視図である。
【図２】（ａ）は、同局部洗浄装置の一部を省略した概略斜視図、（ｂ）は、同局部洗浄装置の一部を省略した概略分解斜視図である。
【図３】（ａ）は、同局部洗浄装置が備える局部洗浄ノズルの一例を模式的に示す一部を省略した概略斜視図、（ｂ）は、同局部洗浄ノズルの一部を省略した一部破断概略斜視図、（ｃ）は、同局部洗浄ノズルの一部を省略した概略背面図である。
【図４】（ａ）は、同局部洗浄ノズルの一部を省略した一部破断概略縦断面図、（ｂ）は、同局部洗浄装置が備える流路切替機構の一例を模式的に示す一部を省略した概略正面図、（ｃ）は、同流路切替機構の一部を省略した概略分解斜視図である。
【図５】（ａ）は、同流路切替機構が備える回転部材の一例を模式的に示す概略背面図、（ｂ）は、同回転部材の概略斜視図、（ｃ）は、同流路切替機構が備える固定部材の一例を模式的に示す概略背面図、（ｄ）は、同固定部材の概略斜視図、（ｅ）は、（ｃ）におけるＸ１−Ｘ１線矢視に対応させた一部破断概略斜視図、（ｆ）は、（ｃ）におけるＸ２−Ｘ２線矢視に対応させた一部破断概略斜視図である。
【図６】（ａ）〜（ｅ）は、同流路切替機構の一部を省略した概略背面図である。
【図７】（ａ）は、同局部洗浄装置に適用される固定部材の一変形例を模式的に示す概略背面図、（ｂ）は、同固定部材の概略斜視図、（ｃ）は、（ａ）におけるＸ３−Ｘ３線矢視に対応させた一部破断概略斜視図、（ｄ）は、（ａ）におけるＸ４−Ｘ４線矢視に対応させた一部破断概略斜視図、（ｅ）、（ｆ）は、同固定部材を備えた流路切替機構の一部を省略した概略背面図である。
【図８】（ａ）は、同局部洗浄装置に適用される固定部材の他の変形例を模式的に示す概略背面図、（ｂ）は、同固定部材の概略斜視図、（ｃ）、（ｄ）は、同固定部材を備えた流路切替機構の一部を省略した概略背面図である。
【発明を実施するための形態】
【００１０】
以下に本発明の実施の形態について、図面に基づいて説明する。
なお、以下の実施形態では、便器装置が設置された状態を基準として上下方向等の方向を説明する。
【００１１】
図１〜図８は、本実施形態に係る局部洗浄装置の一例及びこれを備えた便器装置の一例並びに局部洗浄装置に適用される流路切替機構の一変形例を模式的に示す図である。
本実施形態に係る局部洗浄装置１０は、図１（ａ）に示すように、本実施形態に係る便器装置１に設けられている。この便器装置１は、床等の設置面に設置される着座式のいわゆる洋式の便器装置１とされている。
この便器装置１には、上方に向けて開口するすり鉢状とされたボウル部（便鉢）２や、便座５、便蓋６、これら便座５及び便蓋６を回転自在に支持する機構部等を覆う上ケース部７、給排水管に接続される給排水機構等が設けられている。
【００１２】
また、本実施形態では、便器装置１を、水洗タンク（ロータンク）を備えていない、いわゆるタンクレスタイプのものとした例を示している。なお、このような態様に代えて、水洗タンクを備えた構成としてもよい。
また、この便器装置１の給水機構としては、ボウル部２の上端に周方向に延びるように設けられたリム部に沿わせるように洗浄水（水道水）を供給する構成とされたものとしてもよい。また、この洗浄水の供給は、便器装置１の適所に設けられた洗浄操作部等の操作によってなされるものとしてもよい。
また、便器装置１の排水機構としては、ボウル部２の底部に設けられた排水口に接続された筒状トラップを駆動機構によって回動させて排水及び封水する構成とされたいわゆるターントラップ式のものとしてもよい。また、排水機構としては、サイホン式やサイホンゼット式、サイホンボルテックス式、ネオボルテックス式、洗い落とし式等の他の排水機構を採用するようにしてもよい。
【００１３】
また、この便器装置１に、便座５や便蓋６を開閉する開閉装置や、脱臭装置、便座５を温める加熱装置、洗浄水に洗剤を含ませる洗剤供給装置、洗浄水に殺菌成分を含ませる殺菌成分供給装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１４】
局部洗浄装置１０は、図１〜図３に示すように、第１洗浄水供給路１４及び第２洗浄水供給路１６が設けられ、局部に向けて洗浄水（局部洗浄水）を供給する局部洗浄ノズル１１と、流路を切り替える流路切替機構２０と、を備えている。
この局部洗浄装置１０には、局部洗浄ノズル１１に洗浄水を供給する局部洗浄水供給部や局部洗浄水供給部の操作部としての局部洗浄操作部等が設けられている。局部洗浄水供給部には、局部洗浄ノズル１１に向けて洗浄水を供給する給水元となる水道等に連通される給水管路４３や、この給水管路４３に設けられ洗浄水を供給または遮断する開閉弁、給水管路４３を通過する洗浄水を加熱するヒーター等が設けられている。この給水管路４３は、ボウル部２に洗浄水を供給する給水機構から分岐するように設けられたものとしてもよい。また、局部洗浄水供給部に、洗浄水を貯留して加熱する小型タンクを設けた構成としてもよく、この場合は、適宜のポンプ等を設けた構成としてもよい。
【００１５】
また、局部洗浄操作部は、便器装置１のリモコン装置や、便座５の側方部位等に設けられたものとしてもよい。また、後記するように、当該局部洗浄装置１０を、臀部用とビデ用とに対応可能とした場合には、臀部用の局部洗浄操作部とビデ用の局部洗浄操作部とを設けた態様としてもよい。また、後記するように、複数の噴出パターン（噴出態様）で洗浄水の噴出を可能とした場合には、この局部洗浄操作部に、噴出態様を選択する操作部を設けた構成としてもよい。また、当該局部洗浄装置１０に、洗浄水の水勢調整や洗浄水の温度調整を可能とする機構や操作部等を設けた態様としてもよい。
【００１６】
本実施形態では、この局部洗浄装置１０を、便器装置１の便器奥行方向奥側の上側部位に設けられた上ケース部７内に組み込んだ構成としている。
局部洗浄ノズル１１は、収納位置と洗浄位置とを進退自在とされている（図１参照）。この局部洗浄ノズル１１は、略円筒状とされており、その長手方向に沿って進退される構成とされている。
本実施形態では、この局部洗浄ノズル１１を、ボウル部２の上端部内壁３の便器奥行方向奥側に設けられた開口４を介して便器奥行方向手前側となるボウル部２内の中心側に向けて突出するように進出される構成としている。この開口４は、局部洗浄ノズル１１の進出方向先側となるボウル部２の上端部内壁３を貫通するように設けられている。
【００１７】
また、この局部洗浄ノズル１１は、斜め下方側に向けて進出する構成とされている。局部洗浄装置１０には、この局部洗浄ノズル１１を出し入れ自在にガイドするノズルケース４２（図１（ｂ）参照）が設けられている。このノズルケース４２は、局部洗浄ノズル１１の長手方向に長手方向を沿わせた筒状とされ、便器奥行方向手前側の斜め下方側に向けて開口している。また、このノズルケース４２の先端部に、局部洗浄ノズル１１の進出方向先側に設けられた開口４を開閉するノズル蓋４５を設けた構成としている。
【００１８】
また、局部洗浄ノズル１１は、臀部用とビデ用とに対応可能な構成とされている。本実施形態では、図２、図３及び図４（ａ）に示すように、局部洗浄ノズル１１を、複数の洗浄水供給路１４，１６，１８，１９が設けられたノズル本体１３と、このノズル本体１３を覆うノズルカバー１２と、を備えた二重筒構造としている。
ノズルカバー１２は、進退方向に長尺な略円筒状とされ、先端側が封止され、基端側の開口を介してノズル本体１３を受け入れる構成とされている。また、このノズルカバー１２の先端部の上面側には、ノズル孔１２ａが設けられている。
ノズル本体１３は、図３（ａ）及び図４（ａ）に示すように、ノズルカバー１２よりも長尺状とされ、その先端部の上面側において開口するように、臀部用噴出孔（吐出口）１５ａとビデ用噴出孔（吐出口）１８ａとを設けた構成とされている。図例では、これら臀部用噴出孔１５ａとビデ用噴出孔１８ａとを長手方向に間隔を空けて設け、臀部用噴出孔１５ａをビデ用噴出孔１８ａよりも先側に位置するように設けた例を示している。
【００１９】
これら臀部用噴出孔１５ａ及びビデ用噴出孔１８ａは、ノズルカバー１２とノズル本体１３とを相対的に進退方向にスライドさせることで、ノズルカバー１２のノズル孔１２ａに選択的に連通される構成とされている。ノズルカバー１２とノズル本体１３との相対的なスライド及び局部洗浄ノズル１１の進退は、ノズルケース４２の外周側の適所に設けられたノズル駆動モーターによってなされるものとしてもよい。
また、ノズル本体１３は、その基端部に、給水管路４３の接続部を設けた構成とされている（図１（ｂ）及び図２参照）。このノズル本体１３には、給水管路４３と流路切替機構２０の入水孔２３とを連通させる元側供給路１３ａが設けられている。この元側供給路１３ａは、図２（ａ）及び図３（ｂ）に示すように、給水管路４３との接続部において開口し、略円筒状とされた基端部を貫通するように、かつその内周面において開口するように設けられている。この略円筒状とされた基端部の開口を介して後記する流路切替機構２０が嵌め込まれるように収容される（図２（ｂ）も参照）。
【００２０】
また、このノズル本体１３の基端部の先側に、図３（ｂ）、（ｃ）及び図４（ａ）に示すように、複数の洗浄水供給路１４，１６，１８，１９が分岐するように設けられている。本実施形態では、ノズル本体１３に、第１洗浄水供給路を構成する直噴水供給路１４と、第２洗浄水供給路を構成する旋回水供給路１６と、ビデ用供給路１８と、ノズル洗浄用供給路１９と、を設けた構成としている。また、ノズル本体１３の基端部を、長手方向に見て、概ね四等分したような構成とし、これら四等分に区画した領域のそれぞれを、直噴水供給路１４、旋回水供給路１６、ビデ用供給路１８及びノズル洗浄用供給路１９のそれぞれに連通させた構成としている。
ノズル洗浄用供給路１９は、ノズル本体１３の先端側ではなく、ノズル本体１３の外周側に向けて貫通するように設けられた接続路１９ａに連通されている。この接続路１９ａには、ノズル洗浄水供給管路４４（図１（ｂ）参照）の一端部が接続されている。また、このノズル洗浄水供給管路４４の他端部には、ノズルケース４２の先端部において局部洗浄ノズル１１の外周側に向けて洗浄水を供給するノズル洗浄吐出孔が設けられている。
【００２１】
直噴水供給路１４、旋回水供給路１６及びビデ用供給路１８は、それぞれノズル本体１３の先端側に向けて延びるように設けられている。図例では、ノズル本体１３の上側部位に沿わせるようにビデ用供給路１８を設け、ノズル本体１３の下側部位に沿わせるように直噴水供給路１４を設け、ノズル本体１３の左右方向一方側部位に沿わせるように旋回水供給路１６を設けた例を示している。
直噴水供給路１４及び旋回水供給路１６のノズル本体１３先端側となる下流側端部は、これら直噴水供給路１４及び旋回水供給路１６を合流させるように、ノズル本体１３の先端部に設けられた共通供給路１５に連通されている。この共通供給路１５は、ノズル本体１３の下側部位から上面側に向けて延びるように略円筒状に設けられている。また、この共通供給路１５の下流側端部には、ノズル本体１３の上面側において開口するように臀部用噴出孔１５ａが設けられている。この臀部用噴出孔１５ａは、ノズル本体１３の長手方向に対してノズル本体１３の基端側となる斜め上方側に向けて洗浄水を噴出するように設けられている。
【００２２】
直噴水供給路１４の下流側端部は、直噴水供給路１４を経た洗浄水が共通供給路１５内を臀部用噴出孔１５ａに向けて概ね直進状に流れるように共通供給路１５の軸心に向けて開口している。この直噴水供給路１４を経た洗浄水は、臀部用噴出孔１５ａから概ね直進状に噴出される。一方、旋回水供給路１６の下流側端部は、旋回水供給路１６を経た洗浄水が共通供給路１５内を臀部用噴出孔１５ａに向けて旋回しながら流れるように共通供給路１５の内周面に沿うように開口している。この旋回水供給路１６を経た洗浄水は、共通供給路１５において旋回されて臀部用噴出孔１５ａから離間するに従い拡開状（コーン状）に拡散するように噴出される。
また、ビデ用供給路１８の下流側端部には、ノズル本体１３の上面側において開口するようにビデ用噴出孔１８ａが設けられている。このビデ用噴出孔１８ａは、ノズル本体１３の長手方向に対してノズル本体１３の先端側となる斜め上方側に向けて洗浄水を噴出するように設けられている。また、図例では、複数のビデ用噴出孔１８ａを設けた例を示している。
【００２３】
流路切替機構２０は、給水管路４３に連通された元側供給路１３ａを、これら複数の洗浄水供給路１４，１６，１８，１９に選択的に連通させる構成とされている。また、流路切替機構２０は、図４（ｃ）に示すように、固定部材３２に重ね合わせるように配された回転部材３０が軸２７回りに回転されて流路を切り替える構成とされている。つまり、流路切替機構２０は、固定部材３２に対して回転部材３０を軸２７回りに回転させることで、元側供給路１３ａを、複数の洗浄水供給路１４，１６，１８，１９に選択的に連通させる構成とされている。また、固定部材３２及び回転部材３０のうちの一方の部材３０に、給水元となる給水管路４３に連通される給水元側孔３１を軸２７方向に貫通するように設けた構成としている。
【００２４】
また、固定部材３２及び回転部材３０のうちの他方の部材３２に、軸２７方向に貫通するように、直噴水供給路１４及び旋回水供給路１６のそれぞれに連通される第１給水孔３４及び第２給水孔３６を互いに周方向に間隔を空けて設けた構成としている。また、この他方の部材３２に、これら第１給水孔３４及び第２給水孔３６のそれぞれの孔縁から径方向に並列状となるように周方向に延びる第１給水溝３５及び第２給水溝３７を設けた構成としている（図５（ｃ）〜（ｆ）参照）。また、これら第１給水溝３５及び第２給水溝３７を、一方の部材３０側に向けて開口するように設けた構成としている。また、第１給水溝３５及び第２給水溝３７を、流路断面積が周方向に均一状とされた均一状断面積領域３５，３７の周方向に沿う寸法が、給水元側孔３１の各給水溝３５，３７に対応する領域３１ａ，３１ｂの周方向に沿う寸法よりも大となるように設けた構成としている（図６（ｅ）参照）。
本実施形態では、一方の部材を、回転部材３０とし、他方の部材を、固定部材３２としている。
【００２５】
また、流路切替機構２０は、図２及び図４（ｃ）に示すように、これら回転部材３０及び固定部材３２を収容して保持するハウジング２１と、流路切替モーター４０に連結され回転部材３０の軸（回転軸）２７を構成する軸部材２５と、を備えている。
ハウジング２１は、ノズル本体１３の略円筒状とされた基端部に嵌め込まれる円筒部２２を有している。この円筒部２２は、回転軸２７方向と同方向となるノズル本体１３の長手方向に貫通する構成とされている。また、この円筒部２２の側周部を貫通するように、上記したノズル本体１３の元側供給路１３ａに連通される入水孔２３が設けられている。また、円筒部２２のノズル本体１３先端側となる先端部には、切欠状の係合凹部２４が設けられている。また、円筒部２２の基端側部位には、ノズル本体１３の基端部周縁部に弾性的に接触されるＯリング状のシール部材が設けられている。
【００２６】
軸部材２５は、ハウジング２１の円筒部２２に収容される円盤状とされ、流路切替モーター４０側に、流路切替モーター４０のモーター軸４１に連結される連結部２６を設け、ノズル本体１３先端側に、回転軸２７を設けた構成とされている。この軸部材２５の連結部２６は、流路切替モーター４０のモーター軸４１に直接的に連結される態様に限られず、モーター軸４１に適宜の減速ギア等を介して連結されるものとしてもよい。
また、軸部材２５の円盤状とされた部位（円盤状部位）の外周部には、円筒部２２の内周面に弾性的に接触されるＯリング状のシール部材が設けられている。つまり、ハウジング２１の円筒部２２の流路切替モーター４０側の開口は、軸部材２５によって水密的に封止される。
回転軸２７は、軸部材２５の円盤状部位からノズル本体１３先端側に向けて突出するように設けられている。図例では、回転軸２７の径方向両側にＤカット面状の平坦面を設けた例を示している。また、この回転軸２７の先端部に、小径状の円筒状突部２７ａを設けた構成としている。
【００２７】
回転部材３０は、ハウジング２１の円筒部２２に収容される円盤状とされ、円筒部２２内において回転可能なように外周面が円筒部２２の内周面に近接または密接するように形成されている。また、この回転部材３０には、その円心部を回転軸２７方向に貫通するように、軸部材２５の回転軸２７が挿通される挿通孔３０ａが設けられている。この挿通孔３０ａは、軸部材２５と供回りするように回転軸２７に応じた形状とされている（図５（ａ）、（ｂ）も参照）。円筒部２２の入水孔２３は、円筒部２２に収容された軸部材２５の円盤状部位と回転部材３０との間において開口するように設けられている。つまり、入水孔２３を経た洗浄水は、円筒部２２内の軸部材２５の円盤状部位と回転部材３０との間に供給される。
【００２８】
また、この回転部材３０のノズル本体１３先端側（固定部材３２側）に向く面は、図４（ｃ）に示すように、平滑な平坦面状とされている。一方、回転部材３０の流路切替モーター４０側には、その円心部となる中央部に挿通孔３０ａが設けられた円筒状突部が設けられている（図５（ａ）、（ｂ）参照）。また、この円筒状突部の基端部外周から放射状に延びる複数本の突条を周方向に等間隔を空けて設け、回転部材３０の外周縁部に、全周に亘って突段部を設けた構成としている。
給水元側孔３１は、回転部材３０の周方向の一部分を軸方向に貫通するように設けられている。本実施形態では、この給水元側孔３１を、図５（ａ）に示すように、軸方向に見て、周方向両側縁のそれぞれが回転軸２７の軸心（当該回転部材３０の円心）を通る直線に平行状に形成された扇孔状としている。つまり、この給水元側孔３１は、軸方向に見て、当該回転部材３０に同心状の扇孔状とされている。
【００２９】
また、本実施形態では、この給水元側孔３１を、径方向外側に開口するように切欠状に設けた構成としている。なお、このような態様に代えて、回転部材３０の外周側縁部を残存させるように給水元側孔３１を設けた構成としてもよい。また、この給水元側孔３１の当該回転部材３０円心側を区画する円心側縁部を、軸方向に見て、当該回転部材３０に同心状の円弧状とした例を示しているが、直線状等としてもよい。
この給水元側孔３１の径方向に沿う位置や寸法、周方向に沿う寸法は、後記する固定部材３２の各給水孔３４，３６，３８，３９や各給水溝３５，３７に応じて適宜、設定するようにしてもよい。この給水元側孔３１の径方向に沿う寸法を、軸方向に見た回転部材３０の半径の１／５以上の寸法としてもよく、図例では、１／２程度の寸法とした例を示している。つまり、図例では、給水元側孔３１を、回転部材３０の径方向外方側の略半部に位置するように設けた例を示している。また、この給水元側孔３１の周方向に沿う寸法は、回転軸２７方向に見た状態における給水元側孔３１の周方向両側縁のなす開き角（回転側開き角）θ１として把握するようにしてもよい。つまり、この回転側開き角θ１は、回転軸２７方向に見た状態における給水元側孔３１の周方向一方側縁と回転軸２７の軸心とを結ぶ仮想線と、周方向他方側縁と回転軸２７の軸心とを結ぶ仮想線と、のなす角のうち劣角側のなす角である。この回転側開き角θ１は、例えば、１０度〜４５度程度としてもよく、図例では、１５度程度とした例を示している。
【００３０】
また、本実施形態では、この回転部材３０を固定部材３２に向けて押し付けるように付勢する付勢部材２８を設けた構成としている。この付勢部材２８は、軸部材２５の円盤状部位と回転部材３０との間に設けられている。図例では、この付勢部材２８を、軸部材２５の回転軸２７が挿通された圧縮コイルばねとした例を示している。なお、付勢部材２８としては、圧縮コイルばねに限られず、その他、種々のばね部材を採用するようにしてもよく、また、ばね部材に限られず、ゴム等の弾性部材を付勢部材２８として採用するようにしてもよい。このような付勢部材２８としては、円筒部２２の入水孔２３と回転部材３０の給水元側孔３１との間の洗浄水の流路を閉鎖しない構成とされたものであればよい。
【００３１】
固定部材３２は、ハウジング２１の円筒部２２のノズル本体１３先端側の開口を覆うように配される構成とされ、円盤状とされている。本実施形態では、この固定部材３２の流路切替モーター４０側（回転部材３０側）に、軸部材２５の回転軸２７の円筒状突部２７ａを回転自在に保持する軸受凹部３２ａを設けた構成としている（図５（ｃ）〜（ｆ）参照）。また、この固定部材３２の回転部材３０側に、円筒部２２の先端部に嵌め込まれる小径円盤状部を設けた構成としている。この小径円盤状部の外径は、円筒部２２に対して密接的に嵌め込み可能なように、円筒部２２の内径に応じた径とされている。本実施形態では、図６に示すように、この小径円盤状部の外径を、回転部材３０の外径よりも僅かに大径状としている。
また、この小径円盤状部の周方向の一部分に、円筒部２２の係合凹部２４に嵌め込まれるように係合し、円筒部２２に対する固定部材３２の回転を抑止する係合突部３３を設けた構成としている。
【００３２】
また、本実施形態では、この固定部材３２に、上記したノズル本体１３の複数の洗浄水供給路１４，１６，１８，１９に対応させて、４つの給水孔３４，３６，３８，３９を設けた構成としている。これら４つの給水孔３４，３６，３８，３９は、固定部材３２を回転軸２７方向に貫通するように、かつ周方向に間隔を空けて設けられている。また、これら４つの給水孔３４，３６，３８，３９は、上記のように概ね四等分に区画されたノズル本体１３の基端部の各区画部に連通するように設けられている（図３（ｃ）及び図４（ｂ）、（ｃ）参照）。本実施形態では、固定部材３２のノズル本体１３先端側に、ノズル本体１３の基端部の各区画部に応じた形状となるように、概ね四等分に区画された突部を設け、これら各突部において開口するように各給水孔３４，３６，３８，３９を設けた構成としている。また、固定部材３２のこれら４つに区画された各突部を、ノズル本体１３の基端部の各区画部に嵌め込まれる構成としている。
【００３３】
また、本実施形態では、この固定部材３２のノズル本体１３先端側に配され、ノズル本体１３の基端部の各区画部を区画する区画壁部に弾性的に接触されるシール部材２９を設けた構成としている。このシール部材２９は、Ｏリング部の内周側に、Ｏリング部内を概ね四等分するように区画壁部に対応させて形成された区画シール部を設けた構成とされている。また、このシール部材２９は、固定部材３２の４つに区画された各突部を受け入れるように、各区画シール部及びＯリング部が各突部の外周部に沿うように配される構成とされている。このシール部材２９によって固定部材３２の各給水孔３４，３６，３８，３９とこれらのそれぞれに対応するノズル本体１３の各洗浄水供給路１４，１６，１８，１９とがそれぞれに水密的に連通される。
【００３４】
また、この固定部材３２の回転部材３０側に向く面は、回転部材３０の給水元側孔３１に連通されていない各給水孔３４，３６，３８，３９及び各給水溝３５，３７が閉鎖されるように、回転部材３０の固定部材３２側に向く面に当接される構成とされている（図６参照）。
各給水孔３４，３６，３８，３９は、直噴水供給路１４に連通される第１給水孔３４と、旋回水供給路１６に連通される第２給水孔３６と、ビデ用供給路１８に連通される第３給水孔３８と、ノズル洗浄用供給路１９に連通される第４給水孔３９と、からなる。
本実施形態では、これら給水孔３４，３６，３８，３９を、図５（ｃ）に示すように、軸方向に見て、周方向両側縁のそれぞれが回転軸２７の軸心（当該固定部材３２の円心）を通る直線に平行状に形成された扇孔状としている。つまり、これら給水孔３４，３６，３８，３９は、軸方向に見て、当該固定部材３２に同心状の扇孔状とされている。
【００３５】
また、これら給水孔３４，３６，３８，３９は、給水元側孔３１とは異なり、当該固定部材３２の径方向途中部位のみを軸方向に貫通するように設けられている。つまり、これら給水孔３４，３６，３８，３９は、固定部材３２の外周側縁部を残存させるように設けられている。また、これら給水孔３４，３６，３８，３９の当該固定部材３２の円心側を区画する円心側縁部及び外周側を区画する外周側縁部を、それぞれ当該固定部材３２に同心状の円弧状とした例を示しているが、直線状等としてもよい。
また、これら給水孔３４，３６，３８，３９は、図６（ａ）〜（ｄ）に示すように、給水元側孔３１が回転軸２７方向に見て重ね合わせられた状態で、径方向の全体に亘って給水元側孔３１と重合し、周方向の一部分において給水元側孔３１と重合する構成とされている。つまり、これら給水孔３４，３６，３８，３９は、径方向に沿う寸法が給水元側孔３１の径方向に沿う寸法よりも小とされ、周方向に沿う寸法が給水元側孔３１の周方向に沿う寸法よりも大とされている。
【００３６】
これら給水孔３４，３６，３８，３９の径方向に沿う寸法を、軸方向に見た固定部材３２の半径の１／８以上の寸法としてもよい。図例では、第１給水孔３４、第２給水孔３６及び第４給水孔３９の径方向に沿う寸法を、互いに略同寸法で、かつ第３給水孔３８の径方向に沿う寸法よりも大とした例を示している。また、第１給水孔３４、第２給水孔３６及び第４給水孔３９の径方向に沿う寸法を、固定部材３２の半径の１／３程度の寸法とし、第３給水孔３８の径方向に沿う寸法を、固定部材３２の半径の１／５程度の寸法とした例を示している。
また、これら給水孔３４，３６，３８，３９の周方向に沿う寸法は、上記同様、それぞれの周方向両側縁のなす開き角θ２，θ３，θ４，θ５として把握するようにしてもよい。これら給水孔３４，３６，３８，３９の開き角θ２，θ３，θ４，θ５は、固定部材３２に対する回転部材３０の回転ずれを吸収する観点等から適宜の角度としてもよい。例えば、これら給水孔３４，３６，３８，３９の開き角θ２，θ３，θ４，θ５を、回転側開き角θ１の１．１倍〜４倍程度としてもよい。図例では、第１給水孔３４の開き角θ２と第２給水孔３６の開き角θ３とを、略同角度（図例では、３０度程度）とし、第３給水孔３８の開き角θ４と第４給水孔３９の開き角θ５とを、略同角度（図例では、３５度程度）とした例を示している。
【００３７】
第１給水溝３５と第２給水溝３７とは、径方向に見て互いに重なり合う領域が形成されるように、径方向に並列状となるように設けられている。
第１給水溝３５は、第１給水孔３４の周方向両側縁のうちの第２給水孔３６側の孔縁から周方向に延びるように設けられている。つまり、第１給水溝３５は、第１給水孔３４の第２給水孔３６側の孔縁から第２給水孔３６側に向けて周方向に延びるように設けられている。この第１給水溝３５は、第２給水孔３６に至らないように、末端縁となる反第１給水孔側端縁（第２給水孔３６側端縁）が第１給水孔３４と第２給水孔３６との間に位置するように設けられている。
第２給水溝３７は、第２給水孔３６の周方向両側縁のうちの第１給水孔３４側の孔縁から周方向に延びるように設けられている。つまり、第２給水溝３７は、第２給水孔３６の第１給水孔３４側の孔縁から第１給水孔３４側に向けて周方向に延びるように設けられている。この第２給水溝３７は、第１給水孔３４に至らないように、末端縁となる反第２給水孔側端縁（第１給水孔３４側端縁）が第２給水孔３６と第１給水孔３４との間に位置するように設けられている。
【００３８】
また、本実施形態では、第１給水溝３５を、第２給水溝３７よりも径方向外側に位置するように設けた構成としている。図例では、第１給水溝３５を、第１給水孔３４の第２給水孔３６側の孔縁の径方向外側部位に連なるように設け、第２給水溝３７を、第２給水孔３６の第１給水孔３４側の孔縁の径方向内側部位に連なるように設けた例を示している。
また、これら第１給水溝３５及び第２給水溝３７を、図５（ｃ）に示すように、軸方向に見て、周方向両側縁のそれぞれが回転軸２７の軸心（当該固定部材３２の円心）を通る直線に平行状に形成された扇（円弧）溝状としている。つまり、これら第１給水溝３５及び第２給水溝３７は、軸方向に見て、当該固定部材３２に同心状の円弧溝状とされている。また、これら第１給水溝３５及び第２給水溝３７のそれぞれの溝幅方向両側を区画する両側縁部（当該固定部材３２の円心側を区画する円心側縁部及び外周側を区画する外周側縁部）を、それぞれ当該固定部材３２に同心状の円弧状としている。つまり、本実施形態では、これら第１給水溝３５及び第２給水溝３７の各溝幅寸法（当該固定部材３２の径方向に沿う寸法）を、周方向の全体に亘って一様な寸法、つまり、均一状としている。
【００３９】
また、本実施形態では、第１給水溝３５及び第２給水溝３７の各溝深さ寸法（回転軸２７方向に沿う寸法）を、図５（ｅ）、（ｆ）に示すように、周方向の全体に亘って一様な寸法、つまり、均一状としている。つまり、本実施形態では、これら第１給水溝３５及び第２給水溝３７の流路断面積（各給水溝３５，３７を周方向（溝長手方向）に見た状態の面積）を、周方向の全体に亘って一様な面積、つまり、均一状としている。つまりは、本実施形態では、これら第１給水溝３５及び第２給水溝３７の全体を、流路断面積が周方向に均一状とされた均一状断面積領域３５，３７としている。
また、本実施形態では、第１給水溝３５及び第２給水溝３７の流路断面積を、給水元側孔３１の各給水溝３５，３７に対応する領域３１ａ，３１ｂの軸方向に見た面積以下としている（図６（ｅ）参照）。つまり、給水元側孔３１を介して各給水孔３４，３６に供給される洗浄水の流量が各給水溝３５，３７の流路断面積によって決定される構成としている。
【００４０】
給水元側孔３１の第１給水溝３５に対応する領域（第１溝対応領域）３１ａは、図６（ｅ）に示すように、給水元側孔３１が各給水溝３５，３７に跨るように配された状態で、回転部材３０側から回転軸２７方向に見て、第１給水溝３５が露見する領域である。また、給水元側孔３１の第２給水溝３５に対応する領域（第２溝対応領域）３１ｂは、給水元側孔３１が各給水溝３５，３７に跨るように配された状態で、回転部材３０側から回転軸２７方向に見て、第２給水溝３７が露見する領域である。本実施形態では、第１給水溝３５及び第２給水溝３７の溝幅寸法を互いに略同寸法とし、給水元側孔３１を扇孔状としているので、外周側となる第１溝対応領域３１ａの軸方向に見た面積が内周側となる第２溝対応領域３１ｂの軸方向に見た面積よりも大となる。
【００４１】
また、本実施形態では、図５（ｅ）、（ｆ）に示すように、第１給水溝３５の溝深さ寸法を、第２給水溝３７の溝深さ寸法よりも大としている。つまり、第１給水溝３５の流路断面積を、第２給水溝３７の流路断面積よりも大としている。つまり、給水元側孔３１の第１溝対応領域３１ａ及び第１給水溝３５を経て第１給水孔３４に供給される洗浄水の流量が、給水元側孔３１の第２溝対応領域３１ｂ及び第２給水溝３７を経て第２給水孔３６に供給される洗浄水の流量よりも大となる構成としている。つまりは、給水元側孔３１が各給水溝３５，３７に跨るように配された状態では、旋回水供給路１６を流れる洗浄水の流量よりも直噴水供給路１４を流れる洗浄水の流量が大となる。これにより、局部洗浄ノズル１１の先端部の臀部用噴出孔１５ａからは、拡開状（コーン状）に拡散するように噴出される拡散状洗浄水よりも、概ね直進状に噴出される直進状洗浄水が多量となる。これら直噴水供給路１４を流れる洗浄水と旋回水供給路１６を流れる洗浄水との流量比は、直進状洗浄水に含ませたい拡散状洗浄水の割合や所望する接触感や洗浄感等に応じて、適宜、設定するようにしてもよい。また、第１給水溝３５及び第２給水溝３７の流路断面積を決定する溝幅寸法や溝深さ寸法は、各供給路１４，１６を流れる洗浄水の流量が所望する流量となるように、適宜、設定するようにしてもよい。
【００４２】
また、これら第１給水溝３５及び第２給水溝３７の周方向に沿う寸法は、上記と概ね同様、各給水溝３５，３７が設けられた各給水孔３４，３６の孔縁と末端縁とのなす開き角として把握するようにしてもよい。本実施形態では、これら第１給水溝３５及び第２給水溝３７の開き角を、互いに略同角度としている。
また、本実施形態では、回転軸２７方向に見た状態における第１給水溝３５の末端縁と回転軸２７の軸心とを結ぶ仮想線と、第２給水溝３７の末端縁と回転軸２７の軸心とを結ぶ仮想線と、のなす開き角（溝開き角）θ６を、回転側開き角θ１よりも大としている。
この溝開き角θ６は、固定部材３２に対する回転部材３０の回転ずれを吸収する観点等から適宜の角度としてもよい。例えば、この溝開き角θ６を、上記同様、回転側開き角θ１の１．１倍〜４倍程度としてもよく、図例では、５０度程度とした例を示している。
【００４３】
上記構成とされた流路切替機構２０は、ハウジング２１の円筒部２２をノズル本体１３の基端部に嵌め入れて組み付けるようにしてもよい（図２（ｂ）参照）。また、流路切替モーター４０のモーター軸４１を軸部材２５に連結し、ハウジング２１の基端部のフランジ部を介して流路切替モーター４０の固定部とノズル本体１３の基端部の被固定部とをねじ等の固定具によって固定し、これらを組み付けるようにしてもよい。また、流路切替モーター４０としては、回転角制御の可能なサーボモーターやステッピングモーター等としてもよい。
【００４４】
また、図６に示すように、上記構成とされた流路切替機構２０の回転部材３０を固定部材３２に対して回転させることで、以下のような流路の切り替えが可能となる。
図６（ａ）では、回転部材３０を、給水元側孔３１が固定部材３２の第３給水孔３８に連通した回転位置としている。つまり、回転軸２７方向に見て、給水元側孔３１が第３給水孔３８に重ね合わせられた状態としている。この回転位置とすれば、洗浄水は、給水元側孔３１及び第３給水孔３８を介して局部洗浄ノズル１１のビデ用供給路１８に供給され、ビデ用噴出孔１８ａから吐出される（図４（ａ）参照）。
図６（ｂ）では、回転部材３０を、給水元側孔３１が固定部材３２の第４給水孔３９に連通した回転位置としている。つまり、回転軸２７方向に見て、給水元側孔３１が第４給水孔３９に重ね合わせられた状態としている。この回転位置とすれば、洗浄水は、給水元側孔３１及び第４給水孔３９並びにノズル洗浄用供給路１９を介してノズル洗浄水供給管路４４（図１（ｂ）参照）に供給され、ノズル洗浄吐出孔から吐出される。
【００４５】
図６（ｃ）では、回転部材３０を、給水元側孔３１が固定部材３２の第２給水孔３６に連通した回転位置としている。つまり、回転軸２７方向に見て、給水元側孔３１が第２給水孔３６に重ね合わせられた状態としている。この回転位置とすれば、洗浄水は、給水元側孔３１及び第２給水孔３６を介して局部洗浄ノズル１１の旋回水供給路１６に供給され、臀部用噴出孔１５ａから拡散状に吐出される（図４（ａ）参照）。
図６（ｄ）では、回転部材３０を、給水元側孔３１が固定部材３２の第１給水孔３４に連通した回転位置としている。つまり、回転軸２７方向に見て、給水元側孔３１が第１給水孔３４に重ね合わせられた状態としている。この回転位置とすれば、洗浄水は、給水元側孔３１及び第１給水孔３４を介して局部洗浄ノズル１１の直噴水供給路１４に供給され、臀部用噴出孔１５ａから概ね直進状に吐出される（図４（ａ）参照）。
【００４６】
図６（ｅ）では、回転部材３０を、給水元側孔３１が固定部材３２の第１給水溝３５及び第２給水溝３７に連通した回転位置としている。つまり、回転軸２７方向に見て、給水元側孔３１が第１給水溝３５及び第２給水溝３７に重ね合わせられた状態としている。この回転位置とすれば、洗浄水は、給水元側孔３１並びに第１給水孔３４及び第２給水孔３６を介して局部洗浄ノズル１１の直噴水供給路１４及び旋回水供給路１６に供給され、臀部用噴出孔１５ａから混合されて吐出される（図４（ａ）参照）。つまり、臀部用噴出孔１５ａから直進状洗浄水と拡散状洗浄水とが混和した状態で噴出される。
【００４７】
なお、回転部材３０を、給水元側孔３１が固定部材３２の各給水孔３４，３６，３８，３９及び各給水溝３５，３７のいずれにも連通しない回転位置とし、洗浄水の供給を停止させるようにしてもよい。また、このような回転位置として洗浄水の供給を停止させる態様に代えて、または加えて、給水管路４３に設けられた開閉弁を閉鎖して停止させる態様等としてもよい。また、上記のような流路切替機構２０の回転部材３０の回転制御は、当該局部洗浄装置１０（または便器装置１）の適所に設けられたＣＰＵ等の制御部によって予め定められた所定のプログラム等に従ってなされるものとしてもよい。
【００４８】
本実施形態に係る局部洗浄装置１０及びこれを備えた便器装置１は、上述のような構成としたことで、局部洗浄ノズル１１の２つの洗浄水供給路１４，１６に供給される洗浄水の混合率の安定化を図ることができる。
つまり、固定部材３２及び回転部材３０のうちの他方の部材としての固定部材３２に、軸（回転軸）２７方向に貫通するように、局部洗浄ノズル１１の各洗浄水供給路１４，１６に連通される第１給水孔３４及び第２給水孔３６を互いに周方向に間隔を空けて設けた構成としている。また、これら第１給水孔３４及び第２給水孔３６のそれぞれの孔縁から径方向に並列状となるように周方向に延びる第１給水溝３５及び第２給水溝３７を一方の部材としての回転部材３０側に向けて開口するように設けた構成としている。従って、これら第１給水溝３５及び第２給水溝３７に、回転部材３０の給水元側孔３１を連通させれば、給水元側からの洗浄水を、局部洗浄ノズル１１の第１洗浄水（直噴水）供給路１４及び第２洗浄水（旋回水）供給路１６の両方に供給することができる。
【００４９】
また、第１給水溝３５及び第２給水溝３７を、均一状断面積領域（本実施形態では、各給水溝３５，３７の全体）の周方向に沿う寸法が、給水元側孔３１の各溝対応領域３１ａ，３１ｂの周方向に沿う寸法よりも大となるように設けた構成としている。従って、固定部材３２に対する回転部材３０の回転位置（回転角度）にずれが生じた場合にも、直噴水供給路１４及び旋回水供給路１６のそれぞれを流れる洗浄水の流量の変動を生じ難くすることができる。これにより、直噴水供給路１４を流れる洗浄水と旋回水供給路１６を流れる洗浄水との混合率の安定化を向上させることができる。
【００５０】
また、本実施形態では、給水元側孔３１が設けられた一方の部材を、回転部材３０とし、各洗浄水供給路１４，１６に連通される各給水孔３４，３６が設けられた他方の部材を、固定部材３２としている。従って、給水先側となる他方の部材３２を回転されるものとした場合と比べて、給水先側の構造の簡略化を図ることができる。このような態様に代えて、給水元側に配される一方の部材３０を固定部材とし、給水先側に配される他方の部材３２を回転部材とした態様とすれば、構造が複雑化する傾向がある。つまり、他方の部材３２の各給水孔３４，３６と各洗浄水供給路１４，１６とをフレキシブルチューブ等で接続したり、ノズル本体１３等に回転部を設けたりする必要が生じ、構造が複雑化する傾向があるが、上記構成とすれば、構造の簡略化を図ることができる。
【００５１】
また、本実施形態では、給水元側孔３１を、軸方向に見て、周方向両側縁のそれぞれが回転軸２７の軸心を通る直線に平行状に形成された扇孔状としている。また、軸方向に見た状態における第１給水溝３５の末端縁と回転軸２７の軸心とを結ぶ仮想線と、第２給水溝３７の末端縁と回転軸２７の軸心とを結ぶ仮想線と、のなす溝開き角θ６を、給水元側孔３１の周方向両側縁のなす回転側開き角θ１よりも大としている。従って、給水元側孔３１が周方向に延びるように円弧溝状に形成された第１給水溝３５及び第２給水溝３７に応じた形状となる。これにより、例えば、給水元側孔３１を回転軸２７方向に見て方形孔状等としたものと比べて、給水元側孔３１がこれら第１給水溝３５及び第２給水溝３７の末端縁付近に位置した場合における流量変動を生じ難くすることができる。また、例えば、各供給路に連通される各給水孔に応じて２つの給水元側孔を設けたようなものや、給水元側孔の周方向両側縁を段差状としたようなもの等と比べて、給水元側の部材（回転部材）３０の構造の簡略化を図ることができる。
【００５２】
また、本実施形態では、第１給水溝３５及び第２給水溝３７の均一状断面積領域（本実施形態では、各給水溝３５，３７の全体）の流路断面積を、給水元側孔３１の各溝対応領域３１ａ，３１ｂの回転軸２７方向に見た面積以下としている。従って、上述のように、給水元側孔３１を介して各供給路１４，１６に供給される洗浄水の流量が各給水溝３５，３７（の均一状断面積領域）の流路断面積によって決定されることとなる。これにより、各給水溝３５，３７（の均一状断面積領域）の流路断面積を、適宜、設定することで、各供給路１４，１６に供給される洗浄水の流量が所望する流量比となるように設定することができる。
【００５３】
次に、本実施形態に係る局部洗浄装置に適用される流路切替機構の変形例について説明する。
なお、以下の変形例では、上記した例との相違点について主に説明し、同様の構成については、同一の符号を付し、その説明を省略または簡略に説明する。
図７は、第１変形例に係る流路切替機構の一例を模式的に示す図である。
本変形例に係る流路切替機構２０Ａは、他方の部材としての固定部材３２Ａの構成が上記した例とは主に異なる。
本変形例においても、図７（ａ）に示すように、固定部材３２Ａに、４つの給水孔３４Ａ，３６Ａ，３８Ａ，３９Ａを設けた構成としているが、これら給水孔３４Ａ，３６Ａ，３８Ａ，３９Ａの径方向に沿う寸法を、上記した例よりも小さい寸法としている。図例では、第１給水孔３４Ａ及び第２給水孔３６Ａの径方向に沿う寸法を、固定部材３２Ａの半径の１／５程度の寸法とした例を示している。また、第３給水孔３８Ａの径方向に沿う寸法を、固定部材３２Ａの半径の１／６程度の寸法とし、第４給水孔３９Ａの径方向に沿う寸法を、固定部材３２Ａの半径の１／７程度の寸法とした例を示している。
【００５４】
また、図例では、第４給水孔３９Ａを、他の給水孔３４Ａ，３６Ａ，３８Ａよりも径方向で中央側に位置するように設けた例を示している。
また、これら給水孔３４Ａ，３６Ａ，３７Ａ，３９Ａの開き角θ２Ａ，θ３Ａ，θ４Ａ，θ５Ａを、上記した例よりも小さい角度としている。つまり、給水孔３４Ａ，３６Ａ，３７Ａ，３９Ａの周方向に沿う寸法を、上記した例よりも小さい寸法としている。図例では、第１給水孔３４Ａの開き角θ２Ａ及び第２給水孔３６Ａの開き角θ３Ａを、２０度程度とし、第３給水孔３８Ａの開き角θ４Ａ及び第４給水孔３９Ａの開き角θ５Ａを、２５度程度とした例を示している。
【００５５】
また、本変形例では、固定部材３２Ａは、第１給水溝３５Ａ及び第２給水溝３７Ａに、回転軸２７方向に沿う溝深さ寸法及び径方向に沿う溝幅寸法のうちの両方または一方が第１給水孔３４Ａ及び第２給水孔３６Ａのそれぞれから離れるに従い段階的に小とされた複数段の均一状断面積領域３５Ａａ〜３５Ａｄ，３７Ａａ〜３７Ａｄを設けた構成とされている。つまり、第１給水溝３５Ａに、第１給水孔３４Ａから離れるに従い溝深さ寸法及び溝幅寸法のうちの両方または一方が段階的に小とされた複数段の均一状断面積領域３５Ａａ〜３５Ａｄを設けた構成としている。また、第２給水溝３７Ａに、第２給水孔３６Ａから離れるに従い溝深さ寸法及び溝幅寸法のうちの両方または一方が段階的に小とされた複数段の均一状断面積領域３７Ａａ〜３７Ａｄを設けた構成としている。
【００５６】
本変形例では、図７（ｂ）〜（ｄ）に示すように、第１給水溝３５Ａ及び第２給水溝３７Ａのそれぞれに、各給水孔３４Ａ，３６Ａから離れるに従い溝深さ寸法が段階的に小とされた複数段の均一状断面積領域３５Ａａ〜３５Ａｄ，３７Ａａ〜３７Ａｄを設けた構成としている。また、本変形例においても、上記同様、第１給水溝３５Ａ及び第２給水溝３７Ａの溝幅寸法を、これらの周方向の全体に亘って一様な寸法、つまり、均一状としている。つまり、第１給水溝３５Ａ及び第２給水溝３７Ａの各均一状断面積領域３５Ａａ〜３５Ａｄ，３７Ａａ〜３７Ａｄは、溝深さ寸法を段階的に小とすることで、各給水孔３４Ａ，３６Ａから離れるに従い流路断面積が段階的に小とされている。
また、本変形例では、第１給水溝３５Ａ及び第２給水溝３７Ａのそれぞれに、４段の均一状断面積領域３５Ａａ〜３５Ａｄ，３７Ａａ〜３７Ａｄを設けた構成としている。つまり、第１給水溝３５Ａに、それぞれが均一状断面積領域を構成する第１段領域３５Ａａ、第２段領域３５Ａｂ、第３段領域３５Ａｃ及び第４段領域３５Ａｄを、第１給水孔３４Ａの孔縁から第２給水孔３６Ａ側に向けてこの順に設けた構成としている。また、第２給水溝３７Ａに、それぞれが均一状断面積領域を構成する第１段領域３７Ａａ、第２段領域３７Ａｂ、第３段領域３７Ａｃ及び第４段領域３７Ａｄを、第２給水孔３６Ａの孔縁から第１給水孔３４Ａ側に向けてこの順に設けた構成としている。
【００５７】
また、第１給水溝３５Ａの均一状断面積領域３５Ａａ〜３５Ａｄの各段と第２給水溝３７Ａの均一状断面積領域３７Ａａ〜３７Ａｄの各段とは、径方向に見て互いに重なり合う位置となるように、各段同士が径方向に並列状となるように設けられた構成とされている。つまり、第１給水溝３５Ａの最深部となる第１段領域３５Ａａと第２給水溝３７Ａの最浅部となる第４段領域３７Ａｄとが径方向に見て互いに重なり合う位置となるように径方向に並列状に設けられている。また、第１給水溝３５Ａの第２段領域３５Ａｂと第２給水溝３７Ａの第３段領域３７Ａｃとが径方向に見て互いに重なり合う位置となるように径方向に並列状に設けられている。また、第１給水溝３５Ａの第３段領域３５Ａｃと第２給水溝３７Ａの第２段領域３７Ａｂとが径方向に見て互いに重なり合う位置となるように径方向に並列状に設けられている。また、第１給水溝３５Ａの最浅部となる第４段領域３５Ａｄと第２給水溝３７Ａの最深部となる第１段領域３７Ａａとが径方向に見て互いに重なり合う位置となるように径方向に並列状に設けられている。これら第１給水溝３５Ａ及び第２給水溝３７Ａの各領域３５Ａａ〜３５Ａｄ，３７Ａａ〜３７Ａｄの溝深さ寸法（流路断面積）は、各領域３５Ａａ〜３５Ａｄ，３７Ａａ〜３７Ａｄに回転部材３０の給水元側孔３１が連通された状態で、第１給水孔３４Ａに供給される洗浄水と第２給水孔３６Ａに供給される洗浄水とが所望する流量比となるように、適宜、設定するようにしてもよい。
【００５８】
また、これら第１給水溝３５Ａの各領域３５Ａａ〜３５Ａｄ及び第２給水溝３７Ａの各領域３７Ａａ〜３７Ａｄの周方向に沿う寸法は、上記と概ね同様、互いに径方向に並列状に設けられる各領域３５Ａａ〜３５Ａｄ，３７Ａａ〜３７Ａｄ同士の周方向両側縁のなす開き角（溝開き角）θ６Ａとして把握するようにしてもよい。
つまり、互いに径方向に並列状とされた第１段領域３５Ａａ及び第４段領域３７Ａｄの周方向に沿う寸法を、回転軸２７方向に見た状態における第１給水溝３５Ａの第１段領域３５Ａａの反第１給水孔側端縁（末端縁）と回転軸２７の軸心とを結ぶ仮想線と、第２給水溝３７Ａの第４段領域３７Ａｄの反第２給水孔側端縁（末端縁）と回転軸２７の軸心とを結ぶ仮想線と、のなす溝開き角θ６Ａとしてもよい。また、同様に、互いに径方向に並列状とされた第２段領域３５Ａｂ及び第３段領域３７Ａｃの周方向に沿う寸法を、回転軸２７方向に見た状態における第１給水溝３５Ａの第２段領域３５Ａｂの反第１給水孔側端縁（末端縁）と回転軸２７の軸心とを結ぶ仮想線と、第２給水溝３７Ａの第３段領域３７Ａｃの反第２給水孔側端縁（末端縁）と回転軸２７の軸心とを結ぶ仮想線と、のなす溝開き角θ６Ａとしてもよい。また、互いに径方向に並列状とされた第３段領域３５Ａｃ及び第２段領域３７Ａｂの周方向に沿う寸法を、回転軸２７方向に見た状態における第１給水溝３５Ａの第３段領域３５Ａｃの反第１給水孔側端縁（末端縁）と回転軸２７の軸心とを結ぶ仮想線と、第２給水溝３７Ａの第２段領域３７Ａｂの反第２給水孔側端縁（末端縁）と回転軸２７の軸心とを結ぶ仮想線と、のなす溝開き角θ６Ａとしてもよい。また、互いに径方向に並列状とされた第４段領域３５Ａｄ及び第１段領域３７Ａａの周方向に沿う寸法を、回転軸２７方向に見た状態における第１給水溝３５Ａの第４段領域３５Ａｄの反第１給水孔側端縁（末端縁）と回転軸２７の軸心とを結ぶ仮想線と、第４給水溝３７Ａの第１段領域３７Ａａの反第２給水孔側端縁（末端縁）と回転軸２７の軸心とを結ぶ仮想線と、のなす溝開き角θ６Ａとしてもよい。また、図例では、各給水溝３５Ａ，３７Ａの第１段領域３５Ａａ，３７Ａａ、第２段領域３５Ａｂ，３７Ａｂ及び第３段領域３５Ａｃ，３７Ａｃの各末端縁を、各領域３５Ａａ〜３５Ａｄ，３７Ａａ〜３７Ａｄの段差部としている。つまり、各給水溝３５Ａ，３７Ａの第２段領域３５Ａｂ，３７Ａｂ、第３段領域３５Ａｃ，３７Ａｃ及び第４段領域３５Ａｄ，３７Ａｄの各基端（始端）縁は、それぞれが周方向に隣り合う第１段領域３５Ａａ，３７Ａａ、第２段領域３５Ａｂ，３７Ａｂ及び第３段領域３５Ａｃ，３７Ａｃの各末端縁ともなる。
【００５９】
また、本変形例では、これら径方向に並列状とされた各領域３５Ａａ〜３５Ａｄ，３７Ａａ〜３７Ａｄ同士の各溝開き角θ６Ａを、互いに同角度としている。これら溝開き角θ６Ａは、上記同様、回転側開き角θ１の１．１倍〜４倍程度としてもよく、図例では、１．２倍程度の１８度程度とした例を示している。
上記構成とされた固定部材３２Ａに対して回転部材３０を回転させれば、上記した例のような流路の切替に加え、以下のように、直進状洗浄水と拡散状洗浄水との流量比の切替も可能となる。
図７（ｅ）では、回転部材３０を、給水元側孔３１が固定部材３２Ａの第１給水溝３５Ａの第４段領域３５Ａｄ及び第２給水溝３７Ａの第１段領域３７Ａａに連通した回転位置としている。この回転位置とすれば、第２給水溝３７Ａの第１段領域３７Ａａの流路断面積が第１給水溝３５Ａの第４段領域３５Ａｄの流路断面積に比べて大となり、局部洗浄ノズル１１の臀部用噴出孔１５ａからは、直進状洗浄水よりも拡散状洗浄水が多量に噴出される。
【００６０】
一方、図７（ｆ）では、回転部材３０を、給水元側孔３１が固定部材３２Ａの第１給水溝３５Ａの第１段領域３５Ａａ及び第２給水溝３７Ａの第４段領域３７Ａｄに連通した回転位置としている。この回転位置とすれば、第１給水溝３５Ａの第１段領域３５Ａａの流路断面積が第２給水溝３７Ａの第４段領域３７Ａｄの流路断面積に比べて大となり、局部洗浄ノズル１１の臀部用噴出孔１５ａからは、拡散状洗浄水よりも直進状洗浄水が多量に噴出される。
なお、図示は省略しているが、回転部材３０を、給水元側孔３１が固定部材３２Ａの第１給水溝３５Ａの第３段領域３５Ａｃ及び第２給水溝３７Ａの第２段領域３７Ａｂに連通した回転位置としてもよい。また、回転部材３０を、給水元側孔３１が固定部材３２Ａの第１給水溝３５Ａの第２段領域３５Ａｂ及び第２給水溝３７Ａの第３段領域３７Ａｃに連通した回転位置としてもよい。これらの回転位置とすれば、それぞれに上記した各回転位置とは直進状洗浄水と拡散状洗浄水との流量比が異なることとなる。
【００６１】
本変形例に係る流路切替機構２０Ａを備えた局部洗浄装置１０及びこれを備えた便器装置１においても、上記した例と概ね同様の効果を奏する。
また、本変形例では、第１給水溝３５Ａ及び第２給水溝３７Ａに、溝深さ寸法及び溝幅寸法のうちの両方または一方が第１給水孔３４Ａ及び第２給水孔３６Ａのそれぞれから離れるに従い段階的に小とされた複数段の均一状断面積領域３５Ａａ〜３５Ａｄ，３７Ａａ〜３７Ａｄを設けた構成としている。従って、一方の部材（回転部材）３０と他方の部材（固定部材）３２Ａとを相対的に回転させることで、直噴水供給路１４及び旋回水供給路１６のうちの一方の流量を段階的に増加させ、他方の流量を段階的に減少させることができる。これにより、直噴水供給路１４を流れる洗浄水と旋回水供給路１６を流れる洗浄水との混合率を変更することができる。また、各給水溝３５Ａ，３７Ａにおける各領域３５Ａａ〜３５Ａｄ，３７Ａａ〜３７Ａｄの周方向に沿う寸法が給水元側孔３１の各溝対応領域３１ａ，３１ｂの周方向に沿う寸法よりも大とされることとなる。従って、上記同様、固定部材３２Ａに対する回転部材３０の回転位置（回転角度）にずれが生じた場合にも、直噴水供給路１４及び旋回水供給路１６のそれぞれの流量が設定された流量から乖離するようなことを抑制することができる。
また、本変形例では、第１給水溝３５Ａ及び第２給水溝３７Ａのそれぞれの溝幅寸法を周方向の全体に亘って均一状とし、各領域３５Ａａ〜３５Ａｄ，３７Ａａ〜３７Ａｄの溝深さ寸法を段階的に小として流路断面積を段階的に小とした構成としている。従って、後記する第２変形例のように、溝幅寸法を異ならせたものと比べて、他方の部材（固定部材）３２Ａの小径化を効率的に図ることができる。
【００６２】
次に、本実施形態に係る局部洗浄装置に適用される流路切替機構の他の変形例について説明する。
なお、以下の変形例では、上記した各例との相違点について主に説明し、同様の構成については、同一の符号を付し、その説明を省略または簡略に説明する。
図８は、第２変形例に係る流路切替機構の一例を模式的に示す図である。
本変形例に係る流路切替機構２０Ｂは、他方の部材としての固定部材３２Ｂの構成が上記した各例とは主に異なる。
本変形例においても、図８（ａ）に示すように、固定部材３２Ｂに、第１変形例に係る固定部材３２Ａと概ね同様な４つの給水孔３４Ｂ，３６Ｂ，３８Ａ，３９Ａを設けた構成としている。
【００６３】
また、本変形例においても、固定部材３２Ｂは、第１給水溝３５Ｂ及び第２給水溝３７Ｂに、溝深さ寸法及び溝幅寸法のうちの両方または一方が第１給水孔３４Ｂ及び第２給水孔３６Ｂのそれぞれから離れるに従い段階的に小とされた複数段の均一状断面積領域３５Ｂａ〜３５Ｂｄ，３７Ｂａ〜３７Ｂｄを設けた構成とされている。また、本変形例では、図８（ａ）、（ｂ）に示すように、第１給水溝３５Ｂ及び第２給水溝３７Ｂのそれぞれに、各給水孔３４Ｂ，３６Ｂから離れるに従い溝幅寸法が段階的に小とされた複数段の均一状断面積領域３５Ｂａ〜３５Ｂｄ，３７Ｂａ〜３７Ｂｄを設けた構成としている。また、本変形例においては、上記した固定部材３２と同様、第１給水溝３５Ｂ及び第２給水溝３７Ｂの溝深さ寸法を、これらの周方向の全体に亘って一様な寸法、つまり、均一状としている。つまり、第１給水溝３５Ｂ及び第２給水溝３７Ｂの各均一状断面積領域３５Ｂａ〜３５Ｂｄ，３７Ｂａ〜３７Ｂｄは、溝幅寸法を段階的に小とすることで、各給水孔３４Ｂ，３６Ｂから離れるに従い流路断面積が段階的に小とされている。
【００６４】
また、本変形例においても、第１給水溝３５Ｂ及び第２給水溝３７Ｂのそれぞれに、４段の均一状断面積領域３５Ｂａ〜３５Ｂｄ，３７Ｂａ〜３７Ｂｄを設けた構成としている。つまり、第１給水溝３５Ｂに、それぞれが均一状断面積領域を構成する第１段領域３５Ｂａ、第２段領域３５Ｂｂ、第３段領域３５Ｂｃ及び第４段領域３５Ｂｄを、第１給水孔３４Ｂの孔縁から第２給水孔３６Ｂ側に向けてこの順に設けた構成としている。また、第２給水溝３７Ｂに、それぞれが均一状断面積領域を構成する第１段領域３７Ｂａ、第２段領域３７Ｂｂ、第３段領域３７Ｂｃ及び第４段領域３７Ｂｄを、第２給水孔３６Ｂの孔縁から第１給水孔３４Ｂ側に向けてこの順に設けた構成としている。
また、第１給水溝３５Ｂの均一状断面積領域３５Ｂａ〜３５Ｂｄの各段と第２給水溝３７Ｂの均一状断面積領域３７Ｂａ〜３７Ｂｄの各段とは、第１変形例と同様、径方向に見て互いに重なり合う位置となるように、各段同士が径方向に並列状となるように設けられた構成とされている。
【００６５】
また、本変形例では、第１給水溝３５Ｂの溝幅方向一方側となる当該固定部材３２Ｂの外周側を区画する外周側縁部を、溝長手方向の全体に亘って同一円周上に位置する構成としている。一方、第１給水溝３５Ｂの溝幅方向他方側となる当該固定部材３２Ｂの円心側を区画する円心側縁部を、第１給水孔３４Ｂから離れるに従い段階的に径方向外側に位置するように設けた構成としている。つまり、第１給水溝３５Ｂの各領域３５Ｂａ〜３５Ｂｄの円心側縁部を、第１給水孔３４Ｂから離れるに従い段階的に大径状となる円弧状とし、各領域３５Ｂａ〜３５Ｂｄの溝幅寸法を段階的に小とした構成としている。なお、このような態様に代えて、または加えて、第１給水溝３５Ｂの各領域３５Ｂａ〜３５Ｂｄの外周側縁部を、第１給水孔３４Ｂから離れるに従い段階的に小径状となる円弧状とし、各領域３５Ｂａ〜３５Ｂｄの溝幅寸法を段階的に小とした構成としてもよい。
【００６６】
また、第２給水溝３７Ｂの溝幅方向他方側となる当該固定部材３２Ｂの円心側を区画する円心側縁部を、溝長手方向の全体に亘って同一円周上に位置する構成としている。一方、第２給水溝３７Ｂの溝幅方向一方側となる当該固定部材３２Ｂの外周側を区画する外周側縁部を、第２給水孔３６Ｂから離れるに従い段階的に円心側に位置するように設けた構成としている。つまり、第２給水溝３７Ｂの各領域３７Ｂａ〜３７Ｂｄの外周側縁部を、第２給水孔３６Ｂから離れるに従い段階的に小径状となる円弧状とし、各領域３７Ｂａ〜３７Ｂｄの溝幅寸法を段階的に小とした構成としている。なお、このような態様に代えて、または加えて、第２給水溝３７Ｂの各領域３７Ｂａ〜３７Ｂｄの円心側縁部を、第２給水孔３６Ｂから離れるに従い段階的に大径状となる円弧状とし、各領域３７Ｂａ〜３７Ｂｄの溝幅寸法を段階的に小とした構成としてもよい。これら第１給水溝３５Ｂ及び第２給水溝３７Ｂの各領域３５Ｂａ〜３５Ｂｄ，３７Ｂａ〜３７Ｂｄの溝幅寸法（流路断面積）は、上記同様、各領域３５Ｂａ〜３５Ｂｄ，３７Ｂａ〜３７Ｂｄに回転部材３０の給水元側孔３１が連通された状態で、第１給水孔３４Ｂに供給される洗浄水と第２給水孔３６Ｂに供給される洗浄水とが所望する流量比となるように、適宜、設定するようにしてもよい。
【００６７】
また、これら第１給水溝３５Ｂの各領域３５Ｂａ〜３５Ｂｄ及び第２給水溝３７Ｂの各領域３７Ｂａ〜３７Ｂｄの周方向に沿う寸法は、上記と概ね同様、互いに径方向に並列状に設けられる各領域３５Ｂａ〜３５Ｂｄ，３７Ｂａ〜３７Ｂｄ同士の周方向両側縁のなす開き角（溝開き角）θ６Ａとして把握するようにしてもよい。本変形例では、図８（ａ）に示すように、上記第１変形例とは異なり、溝幅寸法を段階的に小さくするための区画壁部が形成され、この区画壁部の周方向に向く面が各領域３５Ｂａ〜３５Ｂｄ，３７Ｂａ〜３７Ｂｄの各末端縁を構成することとなる。また、本変形例においても、径方向に並列状とされた各領域３５Ｂａ〜３５Ｂｄ，３７Ｂａ〜３７Ｂｄ同士の各溝開き角θ６Ａを、互いに同角度としている。これら溝開き角θ６Ａは、上記同様、回転側開き角θ１の１．１倍〜４倍程度としてもよい。
【００６８】
上記構成とされた固定部材３２Ｂに対して回転部材３０を回転させれば、上記第１変形例と同様、流路の切替に加え、以下のように、直進状洗浄水と拡散状洗浄水との流量比の切替も可能となる。
図８（ｃ）では、回転部材３０を、給水元側孔３１が固定部材３２Ｂの第１給水溝３５Ｂの第４段領域３５Ｂｄ及び第２給水溝３７Ｂの第１段領域３７Ｂａに連通した回転位置としている。この回転位置とすれば、第２給水溝３７Ｂの第１段領域３７Ｂａの流路断面積が第１給水溝３５Ｂの第４段領域３５Ｂｄの流路断面積に比べて大となり、局部洗浄ノズル１１の臀部用噴出孔１５ａからは、直進状洗浄水よりも拡散状洗浄水が多量に噴出される。
【００６９】
一方、図８（ｄ）では、回転部材３０を、給水元側孔３１が固定部材３２Ｂの第１給水溝３５Ｂの第１段領域３５Ｂａ及び第２給水溝３７Ｂの第４段領域３７Ｂｄに連通した回転位置としている。この回転位置とすれば、第１給水溝３５Ｂの第１段領域３５Ｂａの流路断面積が第２給水溝３７Ｂの第４段領域３７Ｂｄの流路断面積に比べて大となり、局部洗浄ノズル１１の臀部用噴出孔１５ａからは、拡散状洗浄水よりも直進状洗浄水が多量に噴出される。
また、図示は省略しているが、上記同様、回転部材３０を、給水元側孔３１が固定部材３２Ｂの第１給水溝３５Ｂの第３段領域３５Ｂｃ及び第２給水溝３７Ｂの第２段領域３７Ｂｂに連通した回転位置としてもよい。また、回転部材３０を、給水元側孔３１が固定部材３２Ｂの第１給水溝３５Ｂの第２段領域３５Ｂｂ及び第２給水溝３７Ｂの第３段領域３７Ｂｃに連通した回転位置としてもよい。
【００７０】
本変形例に係る流路切替機構２０Ｂを備えた局部洗浄装置１０及びこれを備えた便器装置１においても、上記した例と概ね同様の効果を奏する。
また、本変形例では、第１給水溝３５Ｂ及び第２給水溝３７Ｂのそれぞれの溝深さ寸法を周方向の全体に亘って均一状とし、各領域３５Ｂａ〜３５Ｂｄ，３７Ｂａ〜３７Ｂｄの溝幅寸法を段階的に小として流路断面積を段階的に小とした構成としている。従って、上記第１変形例のように、溝深さ寸法を異ならせたものと比べて、他方の部材（固定部材）３２Ｂの薄型化を効率的に図ることができる。
なお、第１変形例と第２変形例とを組み合わせた構成としてもよい。つまり、固定部材を、第１給水溝及び第２給水溝に、溝深さ寸法及び溝幅寸法の両方が第１給水孔及び第２給水孔のそれぞれから離れるに従い段階的に小とされた複数段の均一状断面積領域が設けられた構成としてもよい。
【００７１】
また、上記した各例では、固定部材３２，３２Ａ，３２Ｂに、４つの給水孔３４，３４Ａ，３４Ｂ，３６，３６Ａ，３６Ｂ，３８，３８Ａ，３９，３９Ａを設けた例を示しているが、少なくとも第１給水孔及び第２給水孔を設けた構成とすればよい。この場合は、局部洗浄ノズル１１に、第３洗浄水供給路を構成するビデ用供給路１８及び第４洗浄水供給路を構成するノズル洗浄用供給路１９のうちの両方または一方を設けないようにしてもよい。
また、上記した例では、第１洗浄水供給路を、概ね直進状の洗浄水となる洗浄水を供給する直噴水供給路１４とし、第２洗浄水供給路を、拡散状の洗浄水となる洗浄水を供給する旋回水供給路１６とした例を示しているが、このような態様に限られない。第１洗浄水供給路１４及び第２洗浄水供給路１６のそれぞれを、例えば、温度や空気の混入量等の異なる洗浄水を供給するものとしてもよい。
【００７２】
また、上記した各例では、回転部材３０及び固定部材３２，３２Ａ，３２Ｂを、円盤状（ディスク状）とした例を示しているが、どのような形状とされたものでもよい。また、上記した各例では、給水元側に配される一方の部材を回転部材３０とし、給水先側に配される他方の部材を固定部材３２，３２Ａ，３２Ｂとした例を示しているが、これらを逆にしてもよい。つまり、給水元側に配される一方の部材を固定部材とし、給水先側に配される他方の部材を回転部材とした態様としてもよい。この場合は、他方の部材の各給水孔と各洗浄水供給路とをフレキシブルチューブ等で接続したり、ノズルに回転部を設けたりした態様等としてもよい。一方の部材（回転部材）３０及び他方の部材（固定部材）３２，３２Ａ，３２Ｂとしては、その他、種々の変形が可能である。
また、本実施形態では、局部洗浄装置１０を、便器装置１に組み込んだ例を示しているが、このような態様に限られない。例えば、局部洗浄装置１０を、暖房便座や便蓋を備えたいわゆる温水洗浄便座等とし、後付的に既設の便器に設置されるものとしてもよい。
【符号の説明】
【００７３】
１                    便器装置
１０                  局部洗浄装置
１１                  局部洗浄ノズル
１４                  直噴水供給路（第１洗浄水供給路）
１６                  旋回水供給路（第２洗浄水供給路）
２０，２０Ａ，２０Ｂ  流路切替機構
２７                  回転軸（軸）
３０                  回転部材（一方の部材）
３１                  給水元側孔
３１ａ                第１溝対応領域（第１給水溝に対応する領域）
３１ｂ                第２溝対応領域（第２給水溝に対応する領域）
３２，３２Ａ，３２Ｂ  固定部材（他方の部材）
３４，３４Ａ，３４Ｂ  第１給水孔
３５                  第１給水溝（均一状断面積領域）
３５Ａ，３５Ｂ        第１給水溝
３５Ａａ，３５Ｂａ    第１段領域（均一状断面積領域）
３５Ａｂ，３５Ｂｂ    第２段領域（均一状断面積領域）
３５Ａｃ，３５Ｂｃ    第３段領域（均一状断面積領域）
３５Ａｄ，３５Ｂｄ    第４段領域（均一状断面積領域）
３６，３６Ａ，３６Ｂ  第２給水孔
３７                  第２給水溝（均一状断面積領域）
３７Ａ，３７Ｂ        第２給水溝
３７Ａａ，３７Ｂａ    第１段領域（均一状断面積領域）
３７Ａｂ，３７Ｂｂ    第２段領域（均一状断面積領域）
３７Ａｃ，３７Ｂｃ    第３段領域（均一状断面積領域）
３７Ａｄ，３７Ｂｄ    第４段領域（均一状断面積領域）
４３                  給水管路（給水元）
θ１                  回転側開き角（軸方向に見た状態における給水元側孔の周方向両側縁のなす開き角）
θ６，θ６Ａ          溝開き角（軸方向に見た状態における第１給水溝の均一状断面積領域の反第１給水孔側端縁と軸心とを結ぶ仮想線と、第２給水溝の均一状断面積領域の反第２給水孔側端縁と軸心とを結ぶ仮想線と、のなす開き角）
【図１】
2017197923.tif 000003
【図２】
2017197923.tif 000004
【図３】
2017197923.tif 000005
【図４】
2017197923.tif 000006
【図５】
2017197923.tif 000007
【図６】
2017197923.tif 000008
【図７】
2017197923.tif 000009
【図８】
2017197923.tif 000010